(57)【特許請求の範囲】
【請求項１】
基体部に対して開閉する開閉部材と、
該開閉部材の自由端側における幅方向両側の一方に設けられ、前記開閉部材から前記基体部へ突出する方向へ付勢されており、前記開閉部材が閉じた状態において、前記基体部と係合して前記閉じた状態を保持する第１ロック部材と、
前記開閉部材の自由端側における幅方向両側の他方に設けられ、前記開閉部材から前記基体部へ突出する方向へ付勢されており、前記開閉部材が閉じた状態において、前記基体部と係合して前記閉じた状態を保持する第２ロック部材と、
該第２ロック部材と係合可能な第１係合部を有しており、前記第１ロック部材が退避する方向への該第１ロック部材の動きを前記第２ロック部材へ伝達するリンク機構と、を備え、
前記第１ロック部材および前記第２ロック部材が突出して前記基体部と係合する方向がロック方向であり、前記第１ロック部材および前記第２ロック部材が退避する方向がロックを解除する方向であり、
前記リンク機構は、
前記第１ロック部材が退避する方向へ該第１ロック部材が移動する際、前記第１係合部が前記第２ロック部材と係合し該第２ロック部材が退避する方向へ該第２ロック部材を引き込んで移動させ、
前記第１ロック部材が突出した状態において、前記第２ロック部材が退避する方向へ該第２ロック部材が移動する際、前記第１係合部において前記第２ロック部材との間に設けられた遊びによって前記第１係合部が前記第２ロック部材と係合せず、前記第２ロック部材の動きを前記第１ロック部材へ伝達させない構成である開閉部材のロック装置。
【請求項２】
請求項１に記載の開閉部材のロック装置において、前記リンク機構に力を伝達するレバーと、
前記リンク機構の動力伝達経路上に設けられた第２係合部と、をさらに備えており、
前記リンク機構は、
前記レバーが一の方向へ揺動する際、前記第２係合部が動力伝達下流側の被係合部材と係合し、該レバーの動きを前記第１ロック部材および前記第２ロック部材へ伝達し、前記第１ロック部材および前記第２ロック部材をそれぞれ前記退避する方向へ移動させ、
前記第１ロック部材および前記第２ロック部材がそれぞれ前記退避する方向へ移動する際、前記第２係合部において前記被係合部との間に設けられた遊びによって前記第２係合部が前記被係合部材と係合せず、前記第１ロック部材および前記第２ロック部材の動きを前記レバーへ伝達させない構成である開閉部材のロック装置。
【請求項３】
請求項２に記載の開閉部材のロック装置において、前記レバーは、前記開閉部材の幅方向の中心に対して前記第１ロック部材側に偏倚した位置に配設されていることを特徴とする開閉部材のロック装置。
【請求項４】
請求項１から３のいずれか１項に記載の開閉部材のロック装置において、前記第１ロック部材、および前記開閉部材が閉じる際に前記基体部における前記第１ロック部材が係わり合う第１の部位の少なくとも一方は、前記開閉部材が閉まる方向へ揺動するに従って前記第１ロック部材を退避させる第１傾斜部を有しており、
前記第２ロック部材、および前記開閉部材が閉じる際に前記基体部における前記第２ロック部材が係わり合う第２の部位の少なくとも一方は、前記開閉部材が閉まる方向へ揺動するに従って第２ロック部材を退避させる第２傾斜部を有している構成である開閉部材のロック装置。
【請求項５】
基体部に対して開閉する開閉部材と、
前記基体部における前記開閉部材の自由端側の幅方向両側の一方に対応する箇所に設けられ、前記基体部から前記開閉部材へ突出する方向へ付勢されており、前記開閉部材が閉じた状態において、前記開閉部材と係合して前記閉じた状態を保持する第１ロック部材と、
前記基体部における前記開閉部材の自由端側の幅方向両側の他方に対応する箇所に設けられ、前記基体部から前記開閉部材へ突出する方向へ付勢されており、前記開閉部材が閉じた状態において、前記開閉部材と係合して前記閉じた状態を保持する第２ロック部材と、
該第２ロック部材と係合可能な第１係合部を有しており、前記第１ロック部材が退避する方向への該第１ロック部材の動きを前記第２ロック部材へ伝達するリンク機構と、を備え、
前記第１ロック部材および前記第２ロック部材が突出して前記開閉部材と係合する方向がロック方向であり、前記第１ロック部材および前記第２ロック部材が退避する方向がロックを解除する方向であり、
前記リンク機構は、
前記第１ロック部材が退避する方向へ該第１ロック部材が移動する際、前記第１係合部が前記第２ロック部材と係合し該第２ロック部材が退避する方向へ該第２ロック部材を引き込んで移動させ、
前記第１ロック部材が突出した状態において、前記第２ロック部材が退避する方向へ該第２ロック部材が移動する際、前記第１係合部において前記第２ロック部材との間に設けられた遊びによって前記第１係合部が前記第２ロック部材と係合せず、前記第２ロック部材の動きを前記第１ロック部材へ伝達させない構成である開閉部材のロック装置。
【請求項６】
媒体を載置する載置部と、
載置された媒体を送り方向下流側へ送る送り手段と、
媒体が送られる経路の少なくとも一部を構成し、基体部に対して開閉可能なカバー部材と、
該カバー部材が閉じた状態をロックするロック手段と、を備えた媒体搬送装置であって、
前記ロック手段は、請求項１から５のいずれか１項に記載された開閉部材のロック装置を備えることを特徴とする媒体搬送装置。
【請求項７】
被記録媒体を送り方向下流側へ送る送り手段と、
被記録媒体が送られる経路の少なくとも一部を構成し、基体部に対して開閉可能なカバー部材と、
該カバー部材が閉じた状態をロックするロック手段と、
送られた被記録媒体に対して記録する記録部と、を備えた記録装置であって、
前記ロック手段は、請求項１から５のいずれか１項に記載された開閉部材のロック装置を備えることを特徴とする記録装置。
【発明の詳細な説明】
【技術分野】
【０００１】
本発明は、基体部に対して開閉する開閉部材の閉まった状態をロックするロック装置および該ロック装置を備えた媒体搬送装置および記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、プリンターは、装置本体に対して開閉するルーフを有していた。該ルーフは、プリンターの内部で用紙が詰まったときに開けて詰まった用紙を取り除くために設けられていた。そして、前記ルーフの自由端側には、プラスチックで形成された弾性を有する爪が幅方向両側に一対設けられていた。前記ルーフが閉まった状態では、前記爪が前記装置本体側の部材と係わり合うことで、閉まった状態が保持されるように構成されていた。また、前記ルーフを開く際、前記爪を退避する方向へ弾性変形させて、前記装置本体側の部材を乗り越えさせることにより前記係わり合いを解除して、開くことができた。一方、前記ルーフを閉める際、前記爪を退避する方向へ弾性変形させて、前記装置本体側の部材を乗り越えさせることにより前記係わり合うようにし、閉めることができた。
【先行技術文献】
【特許文献】
【０００３】
【特許文献１】特許３７２４３１０号公報
【発明の概要】
【発明が解決しようとする課題】
【０００４】
ここで、前記一対の爪は、それぞれ独立して退避する方向へ弾性変形する構成であったため、一方の爪のみが前記装置本体側の部材と係わり合う場合がある。  
そこで、一対の爪の動きを、互いにリンクさせるようにリンク部材を設けることが考えられる。  
具体的には、一方の爪が退避移動した場合、リンク部材が前記一方の爪に押されることにより、他方の爪へ押す方向の力を伝達するように構成することが考えられる。
【０００５】
そして、前記リンク部材から受ける前記他方の爪を押す方向の力を揺動する部材によって引く方向への力に変えて、前記他方の爪を退避させることができる。  
反対に、前記他方の爪が退避移動した場合、前記揺動する部材が前記他方の爪に押される力を、前記一方の爪を引っ張る方向の力に変えて、前記リンク部材を引っ張る。そして、前記リンク部材が、前記一方の爪を引っ張って退避移動させることができる。
【０００６】
しかしながら、例えば、比較的大きなサイズの用紙にも対応可能なプリンターになると、前記ルーフの幅がその分広くなる。従って、前記一方（手前側）の爪と前記他方（奥側）の爪との間の距離が長くなる。そして、前記リンク部材の強度が必要となってくる。強度が不足すると、押す方向の力が作用した場合、座屈する虞がある。また、十分な強度を得るように前記リンク部材を太くするとその分スペースが取られるため、装置が大型化する虞がある。
【０００７】
本発明は、このような状況に鑑み成されたものであり、その課題は、リンクする部材間の距離が長くなった場合であってもリンク機構の機能を得ながら、リンク部材が破損してしまうことを考慮した開閉部材のロック装置および該ロック装置を備えた媒体搬送装置を提供することである。
【課題を解決するための手段】
【０００８】
上記課題を達成するため、本発明の第１の態様の開閉部材のロック装置は、基体部に対して開閉する開閉部材と、該開閉部材の自由端側における幅方向両側の一方に設けられ、前記開閉部材から前記基体部へ突出する方向へ付勢されており、前記開閉部材が閉じた状態において、前記基体部と係合して前記閉じた状態を保持する第１ロック部材と、前記開閉部材の自由端側における幅方向両側の他方に設けられ、前記開閉部材から前記基体部へ突出する方向へ付勢されており、前記開閉部材が閉じた状態において、前記基体部と係合して前記閉じた状態を保持する第２ロック部材と、該第２ロック部材と係合可能な第１係合部を有しており、前記第１ロック部材が退避する方向への該第１ロック部材の動きを前記第２ロック部材へ伝達するリンク機構と、を備え、前記第１ロック部材および前記第２ロック部材が突出して前記基体部と係合する方向がロック方向であり、前記第１ロック部材および前記第２ロック部材が退避する方向がロックを解除する方向であり、前記リンク機構は、前記第１ロック部材が退避する方向へ該第１ロック部材が移動する際、前記第１係合部が前記第２ロック部材と係合し該第２ロック部材が退避する方向へ該第２ロック部材を引き込んで移動させ、前記第１ロック部材が突出した状態において、前記第２ロック部材が退避する方向へ該第２ロック部材が移動する際、前記第１係合部において前記第２ロック部材との間に設けられた遊びによって前記第１係合部が前記第２ロック部材と係合せず、前記第２ロック部材の動きを前記第１ロック部材へ伝達させない構成であることを特徴とする。
【０００９】
本態様によれば、前記開閉部材を閉めてロックする際、ユーザーが前記開閉部材の幅方向中心に対して前記第１ロック部材側を閉める方向に押せば、前記リンク機構は、前記遊びを有していない構成のリンク機構と同様の動きをする。従って、前記開閉部材を閉めてロック状態にすることができる。尚、ユーザーが前記開閉部材の幅方向中心に対して前記第１ロック部材側を閉める方向へ押すように、ユーザーが操作する位置を考慮して前記第１ロック部材および前記第２ロック部材の位置を決めればよい。つまり、ユーザーが操作する位置に近い側に前記第１ロック部材を配置すればよい。通常、ユーザーは自身に近い側である、前記開閉部材の幅方向中心に対して前記第１ロック部材側を押すからである。
【００１０】
また、前記リンク機構は前記第２ロック部材を引っ張るときのみに負荷がかかるので、座屈する虞がない。その結果、糸のような細い部材で構成することができる。つまり、強度を必要としない。これにより、前記リンク機構を設けるスペースを小さくすることができ、設計の自由度が増す。  
またさらに、前記第２ロック部材が退避する方向へ移動する際、前記リンク機構および前記第１ロック部材の重さ分の仕事をしなくてよい。従って、その分、小さい力で前記第２ロック部材が独立して動くことができる。
【００１１】
前記開閉部材が閉まる際、該開閉部材が撓むことにより、該開閉部材における前記第１ロック部材側（手前側）が該第１ロック部材によって先にロック状態となる場合がある。係る場合で、前記開閉部材における前記第２ロック部材側（奥側）が該第２ロック部材によってロック状態に未だなっていないときであっても、自重や撓みが戻ろうとする力等の小さい力で容易に奥側をロック状態にすることができる。これにより、片側のみがきちんと閉まってロック状態となる所謂、片閉まりとなることを、結果的に防止することができる。
【００１２】
本発明の第２の態様は、第１の態様において、前記リンク機構に力を伝達するレバーと、前記リンク機構の動力伝達経路上に設けられた第２係合部と、をさらに備えており、前記リンク機構は、前記レバーが一の方向へ揺動する際、前記第２係合部が動力伝達下流側の被係合部材と係合し、該レバーの動きを前記第１ロック部材および前記第２ロック部材へ伝達し、前記第１ロック部材および前記第２ロック部材をそれぞれ前記退避する方向へ移動させ、前記第１ロック部材および前記第２ロック部材がそれぞれ前記退避する方向へ移動する際、前記第２係合部において前記被係合部との間に設けられた遊びによって前記第２係合部が前記被係合部材と係合せず、前記第１ロック部材および前記第２ロック部材の動きを前記レバーへ伝達させない構成であることを特徴とする。
【００１３】
本態様によれば、第１の態様と同様の作用効果に加え、ユーザーが前記レバーを操作せずに前記開閉部材を押してロック状態にした際、前記レバーが勝手に動かない。これにより、ユーザーが怪我をする虞がない。また、前記レバーが勝手に動くことによる騒音が生じない。またさらに、前記レバーの上に何か物が置かれている場合であっても、ロック状態にすることができる。
【００１４】
本発明の第３の態様は、第２の態様において、前記レバーは、前記開閉部材の幅方向の中心に対して前記第１ロック部材側に偏倚した位置に配設されていることを特徴とする。  
本態様によれば、第２の態様と同様の作用効果に加え、ユーザーは、前記中心に対して前記第１ロック部材側で、前記開閉部材の開閉を行うことができる。つまり、ロック装置の前記第１ロック部材側の位置で、ユーザーは、前記開閉部材における手前側を押して該開閉部材を閉じてロック状態とすることができる。さらに、手前側に設けられた前記レバーを操作してロックを解除し、前記開閉部材を開けることができる。言い換えると、ユーザーは、前記第２ロック部材側である奥側へ手を伸ばす必要がない。また、奥側へ回り込む必要もない。
【００１５】
本発明の第４の態様は、第１から第３のいずれか一の態様において、前記第１ロック部材、および前記開閉部材が閉じる際に前記基体部における前記第１ロック部材が係わり合う第１の部位の少なくとも一方は、前記開閉部材が閉まる方向へ揺動するに従って前記第１ロック部材を退避させる第１傾斜部を有しており、前記第２ロック部材、および前記開閉部材が閉じる際に前記基体部における前記第２ロック部材が係わり合う第２の部位の少なくとも一方は、前記開閉部材が閉まる方向へ揺動するに従って第２ロック部材を退避させる第２傾斜部を有している構成であることを特徴とする。  
本態様によれば、第１から第３のいずれか一の態様と同様の作用効果に加え、前記第１傾斜部および前記第２傾斜部を有している。従って、前記開閉部材を完全に閉じるだけで容易にロック状態とすることができる。
【００１６】
本発明の第５の態様の開閉部材のロック装置は、基体部に対して開閉する開閉部材と、前記基体部における前記開閉部材の自由端側の幅方向両側の一方に対応する箇所に設けられ、前記基体部から前記開閉部材へ突出する方向へ付勢されており、前記開閉部材が閉じた状態において、前記開閉部材と係合して前記閉じた状態を保持する第１ロック部材と、前記基体部における前記開閉部材の自由端側の幅方向両側の他方に対応する箇所に設けられ、前記基体部から前記開閉部材へ突出する方向へ付勢されており、前記開閉部材が閉じた状態において、前記開閉部材と係合して前記閉じた状態を保持する第２ロック部材と、該第２ロック部材と係合可能な第１係合部を有しており、前記第１ロック部材が退避する方向への該第１ロック部材の動きを前記第２ロック部材へ伝達するリンク機構と、を備え、前記第１ロック部材および前記第２ロック部材が突出して前記開閉部材と係合する方向がロック方向であり、前記第１ロック部材および前記第２ロック部材が退避する方向がロックを解除する方向であり、前記リンク機構は、前記第１ロック部材が退避する方向へ該第１ロック部材が移動する際、前記第１係合部が前記第２ロック部材と係合し該第２ロック部材が退避する方向へ該第２ロック部材を引き込んで移動させ、前記第１ロック部材が突出した状態において、前記第２ロック部材が退避する方向へ該第２ロック部材が移動する際、前記第１係合部において前記第２ロック部材との間に設けられた遊びによって前記第１係合部が前記第２ロック部材と係合せず、前記第２ロック部材の動きを前記第１ロック部材へ伝達させない構成であることを特徴とする。  
本態様によれば、第１の態様と同様の作用効果を得ることができる。
【００１７】
本発明の第６の態様の媒体搬送装置は、媒体を載置する載置部と、載置された媒体を送り方向下流側へ送る送り手段と、媒体が送られる経路の少なくとも一部を構成し、基体部に対して開閉可能なカバー部材と、該カバー部材が閉じた状態をロックするロック手段と、を備えた媒体搬送装置であって、前記ロック手段は、上記第１から第５のいずれか一の態様の前記開閉部材のロック装置を備えることを特徴とする。  
本態様によれば、前記ロック手段は、上記第１から第５のいずれか一の態様の前記開閉部材のロック装置を備えている。従って、前記媒体搬送装置において、上記第１から第５のいずれか一の態様と同様の作用効果を得ることができる。
【００１８】
本発明の第７の態様の記録装置は、被記録媒体を送り方向下流側へ送る送り手段と、被記録媒体が送られる経路の少なくとも一部を構成し、基体部に対して開閉可能なカバー部材と、該カバー部材が閉じた状態をロックするロック手段と、送られた被記録媒体に対して記録する記録部と、を備えた記録装置であって、前記ロック手段は、上記第１から第５のいずれか一の態様の前記開閉部材のロック装置を備えることを特徴とする。  
本態様によれば、前記ロック手段は、上記第１から第５のいずれか一の態様の前記開閉部材のロック装置を備えている。従って、前記記録装置において、上記第１から第５のいずれか一の態様と同様の作用効果を得ることができる。
【図面の簡単な説明】
【００１９】
【図１】本実施例のカバー部材が閉じた状態のプリンターを示す斜視図。
【図２】本実施例のカバー部材が開いた状態のプリンターを示す斜視図。
【図３】（Ａ）（Ｂ）は本実施例の第１ロック部材および第１穴部を示す斜視図。
【図４】本実施例のロック状態におけるリンク機構を示す平面透視図。
【図５】（Ａ）（Ｂ）は図４の要部を示す平面透視図。
【図６】（Ａ）（Ｂ）はロック解除状態におけるリンク機構の要部を示す平面透視図。
【図７】（Ａ）（Ｂ）はロック状態となる際のリンク機構の要部を示す平面透視図。
【図８】（Ａ）（Ｂ）は第２ロック部材が遅れてロック状態となる様子を示す平面透視図。
【図９】（Ａ）（Ｂ）は第２ロック部材が遅れてロック状態となる様子を示す平面透視図。
【発明を実施するための形態】
【００２０】
以下、本発明の実施の形態を図面に基づいて説明する。  
図１に示すのは、本実施例のカバー部材１５が閉じた状態のプリンター１を示す斜視図である。また、図２に示すのは、本実施例のカバー部材１５が開いた状態のプリンター１を示す斜視図である。  
図１および図２に示す如く、本実施例のプリンター１は、プリンター本体２と、媒体搬送装置７とを備えている。
【００２１】
このうち、プリンター本体２は、詳しい図示を省略するが、スキャナー部５と、記録部６と、操作部３とを有している。スキャナー部５は、プリンター本体２における上面側に設けられ、媒体搬送装置７によって送られた媒体の一例である用紙Ｐに記録された情報を読み取ることができるように構成されている。また、スキャナー部５は、媒体搬送装置７を上方へ開くことにより現れるプリンター本体２の上面にセットされた用紙Ｐに記録された情報をも読み取ることができるように構成されている。
【００２２】
またさらに、記録部６は、プリンター本体２において用紙に対して記録を実行することができるように構成されている。  
また、操作部３は、プリンター本体２の外側に設けられ、ボタン４を有している。そして、ユーザーがプリンター１の条件設定や動作指示についてボタン４を押すことで操作することができるように構成されている。
【００２３】
一方、媒体搬送装置７は、プリンター本体２の上方に設けられ、記録された用紙Ｐを一枚ずつ順次、プリンター本体２の上面の所定位置を経由して送ることができるように設けられている。  
尚、所定位置においてスキャナー部５によって用紙Ｐに記録された情報が読み取られる構成である。
【００２４】
具体的に、媒体搬送装置７は、載置部８と、送り手段９（図２参照）と、送り経路１０（図２参照）と、排出部１１と、基体部１２と、カバー部材１５と、ロック手段１７（図２参照）とを有している。このうち、載置部８は、用紙Ｐを載置することができるように設けられている。また、送り手段９は、載置部８に載置された用紙Ｐを順次送り方向下流側（矢印Ａの方向）へ送ることができるように構成されている。送り手段９として、例えば、モーターの動力によって駆動するローラーを設けることができる。
【００２５】
またさらに、送り経路１０は、用紙Ｐが送られる経路である。本実施例の送り経路１０は、基体部１２およびカバー部材１５によって構成されている。また、排出部１１は、送り経路１０の下流端において排出された用紙Ｐを載置することができるように設けられている。またさらに、基体部１２は、媒体搬送装置７の基体である。また、カバー部材１５は、送り経路１０の一部を構成すると共に、基体部１２に対して開閉可能に設けられている。具体的には、開閉軸１６（図２参照）を中心に揺動する構成である。
【００２６】
またさらに、ロック手段１７は、カバー部材１５が閉じた状態をロックすることができるように構成されている。具体的には、ロック手段１７は、一例としてカバー部材１５側に第１ロック部材１８および第２ロック部材２２を有し、基体部１２側に第１ロック穴部１３および第２ロック穴部１４を有している。第１ロック部材１８および第２ロック部材２２は、カバー部材１５における用紙Ｐの幅方向外側に向かって進退可能に設けられている。
【００２７】
そして、閉じた状態では、第１ロック部材１８が第１ロック穴部１３に入り、第２ロック部材２２が第２ロック穴部１４に入るように構成されている。従って、カバー部材１５が閉じた状態でカバー部材１５が開かないようにロックすることができる。  
尚、進退可能な第１ロック部材１８および第２ロック部材２２をカバー部材１５側に設け、第１ロック穴部１３および第２ロック穴部１４を基体部１２側に設けたが、逆の構成でもよい。また、第１ロック部材１８および第２ロック部材２２の進退可能な方向を幅方向Ｘとしたが、これに限らない。カバー部材１５が開閉する方向と交差する方向であればよい。
【００２８】
また、カバー部材１５には、ロック状態を解除するためのカバー開レバー３８が設けられている。例えば、送り経路１０内で用紙Ｐが詰まった場合、ユーザーはカバー開レバー３８を操作して、ロックを解除し、カバー部材１５を開いて詰まった用紙Ｐを取り除くことができる。その後、ユーザーがカバー部材１５を完全に閉じると、ロック手段１７によってロック状態となる。
【００２９】
尚、カバー部材１５におけるカバー開レバー３８の位置は、カバー部材１５の幅方向Ｘの中心Ｎ（図１参照）を基準とした操作部３が設けられている側に偏倚した位置である。これは、ユーザーがプリンター１を操作する際のユーザーの位置が、幅方向Ｘにおいて操作部３側だからである。つまり、ユーザーの位置を基準とした手前側にカバー開レバー３８を設けることにより、奥側に設けられている構成と比較して、ユーザーはカバー開レバー３８を操作しやすい。
【００３０】
ここで、比較的大きいサイズの用紙Ｐに対応可能なプリンター１は幅方向Ｘに長尺となる。係る場合に、カバー開レバー３８が前記偏倚した位置にある構成は特に有効である。  
また、カバー部材１５を開いた後に閉じる際、通常、ユーザーは、カバー部材１５における幅方向Ｘの中心Ｎを基準とした操作部３が設けられている側を押してカバー部材１５を完全に閉める。つまり、ユーザーは、通常、カバー部材１５における、奥側ではなく、手前側を押してカバー部材１５を完全に閉める。
【００３１】
続いて、ロック手段１７の詳細について説明する。  
図３（Ａ）に示すのは、本実施例のカバー部材１５側の第１ロック部材１８を示す斜視図である。また、図３（Ｂ）に示すのは、本実施例の基体部１２側の第１ロック穴部１３を示す斜視図である。  
図３（Ａ）に示す如く、第１ロック部材１８におけるカバー部材１５から突出した先端部分には第１傾斜部１９が設けられている。第１傾斜部１９は、カバー部材１５の開閉方向に対して傾斜している。さらに、閉める際に基体部１２と当接しカバー部材１５が閉まる方向への力により、第１ロック部材１８を退避させる方向へのベクトル成分の力を生じさせるように形成されている。
【００３２】
一方、図３（Ｂ）に示す如く、基体部１２におけるカバー部材１５が完全に閉じた状態のカバー部材１５の第１ロック部材１８と対向する箇所には、第１ロック部材１８が入ることができる第１ロック穴部１３が形成されている。従って、カバー部材１５を閉じる際、基体部１２と接触することにより一度退避した第１ロック部材１８は、カバー部材１５が完全に閉じた状態となったとき、後述する第１圧縮ばね２１（図４〜図９参照）の付勢力によって突出する方向へ移動する。そして第１ロック部材１８の先端は、第１ロック穴部１３に入ることができる。
【００３３】
尚、幅方向Ｘにおける一方の第１ロック部材１８および第１ロック穴部１３について説明したが、他方の第２ロック部材２２および第２ロック穴部１４についても同様である。その説明は省略する。  
また、本実施例では、第１ロック部材１８に第１傾斜部１９を設けたが、カバー部材１５を閉じる際に基体部１２側における第１ロック部材１８と対向する箇所である第１の部位１２ａに傾斜部（１９）を設けてもよい。またさらに、傾斜部（１９）を、第１ロック部材１８側および基体部１２側の両方に設けてもよい。技術的思想としては、カバー部材１５を閉じる際に第１ロック部材１８を一度退避させることができればよく、第１ロック部材１８側および基体部１２側の少なくとも一方に傾斜部（１９）が設けられていればよい。
【００３４】
続いて、第１ロック部材１８と第２ロック部材２２との関係、およびこれらとカバー開レバー３８との関係について説明する。  
図４に示すのは、本実施例のロック状態におけるリンク機構２６を示す平面透視図である。また、図５（Ａ）（Ｂ）に示すのは、図４の要部を示す平面透視図である。このうち、図５（Ａ）は第１ロック部材１８が設けられている側である。一方、図５（Ｂ）は図５（Ａ）の反対側である第２ロック部材２２が設けられている側である。
【００３５】
図４および図５（Ａ）（Ｂ）に示す如く、本実施例において、第１ロック部材１８および第２ロック部材２２が設けられているカバー部材１５側には、リンク機構２６が設けられている。リンク機構２６は、第１ロック部材１８の動きを第２ロック部材２２へ伝達するが、第２ロック部材２２の動きを第１ロック部材１８へは伝達しないように構成されている。また、リンク機構２６は、カバー開レバー３８の動きを第１ロック部材１８および第２ロック部材２２へ伝達するが、第１ロック部材１８および第２ロック部材２２の動きをカバー開レバー３８へは伝達しないように構成されている。
【００３６】
リンク機構２６は、具体的には、揺動部材３３と、第１リンクバー２７と、第２リンクバー３０とを有している。  
このうち、揺動部材３３は、第１ロック部材１８の動きを第１リンクバー２７へ伝達することができるように設けられている。また、第２リンクバー３０の動きを第１ロック部材１８へ伝達することができるように設けられている。具体的に、揺動部材３３は、第１揺動軸３４と、第１穴部３５と、当接部３６と、第３突起部３７とを有している。
【００３７】
また、第１リンクバー２７は、引っ張ることによって第２ロック部材２２に対して力を伝達することができるように構成されている。具体的に、第１リンクバー２７は、フック部２８と、第２穴部２９とを有している。  
またさらに、第２リンクバー３０は、カバー開レバー３８の動きを揺動部材３３へ伝達することができるように構成されている。具体的に、第２リンクバー３０は、第４突起部３２と、凹部３１とを有している。
【００３８】
ここで、第１ロック部材１８には、第１突起部２０が形成されている。また、第１ロック部材１８は、図示しないガイド部材によって、一例として幅方向Ｘに摺動可能にガイドされている。さらに、第１ロック部材１８は、付勢手段の一例である第１圧縮ばね２１によってカバー部材１５から突出する方向（図５における左方向）へ付勢されている。  
第２ロック部材２２についても、第１ロック部材１８と同様である。第２ロック部材２２には、第２突起部２４が形成されている。また、第２ロック部材２２は、幅方向Ｘに摺動可能にガイドされている。さらに、第２ロック部材２２は、第２圧縮ばね２５によってカバー部材１５から突出する方向（図５における右方向）へ付勢されている。
【００３９】
また、カバー開レバー３８は、第２揺動軸３９と、第５突起部４０とを有している。カバー開レバー３８は、第２揺動軸３９を中心に揺動可能に設けられている。また、第５突起部４０は、第２揺動軸３９を基準としたユーザーが操作する箇所と反対側に形成されている。またさらに、第５突起部４０は、第２リンクバー３０の凹部３１に入るように構成されている。
【００４０】
また、第２リンクバー３０は、図示しないガイド部材によって、一例として幅方向Ｘと直交するＹ軸方向に摺動可能にガイドされている。またさらに、第２リンクバー３０の第４突起部３２は、揺動部材３３の当接部３６と当接可能に構成されている。  
そして、揺動部材３３は、第１揺動軸３４を中心として揺動可能に設けられている。また、第１穴部３５には、第１ロック部材１８に設けられた第１突起部２０が入るように構成されている。
【００４１】
尚、第１穴部３５の形状は正円ではなく、第１揺動軸３４を中心とした放射方向に第１突起部２０との間で隙間ができる形状である。この理由は、第１ロック部材１８が直線移動するのに対して、揺動部材３３が揺動するからである。つまり、第１突起部２０の軌跡と第１穴部３５の軌跡とが異なるからである。そして、前記隙間が両者の軌跡の差を吸収することができるように構成されている。
【００４２】
また、揺動部材３３の第３突起部３７は、第１リンクバー２７の第２穴部２９に回動自在に嵌っている。  
またさらに、第１リンクバー２７のフック部２８は、第２ロック部材２２の第２突起部２４と当接し、第２ロック部材２２が退避する方向へ引っ張ることができるように構成されている。
【００４３】
図４および図５（Ａ）（Ｂ）に示す如く、カバー部材１５が完全に閉じた状態、かつ、カバー開レバー３８が操作されていない状態では、第１ロック部材１８の先端は、第１ロック穴部１３に入っている。同様に、第２ロック部材２２の先端は、第２ロック穴部１４に入っている。従って、ロック手段１７によって、カバー部材１５が閉じた状態で基体部１２に対するカバー部材１５の姿勢をロックすることができる。
【００４４】
図６（Ａ）（Ｂ）に示すのは、はロック解除状態におけるリンク機構２６の要部を示す平面透視図である。このうち、図６（Ａ）は第１ロック部材１８が設けられている側である。一方、図６（Ｂ）は図６（Ａ）の反対側である第２ロック部材２２が設けられている側である。  
図６（Ａ）（Ｂ）に示す如く、カバー部材１５が閉まっており、ロックされた状態で、前述したように送り経路１０内で用紙Ｐが詰まった場合、ユーザーは、カバー開レバー３８を操作して、カバー部材１５を開く。この際、ユーザーは、カバー開レバー３８の一端側を鉛直方向であるＺ軸の矢印方向である上方へ引き上げると、他端側に設けられた第５突起部４０がＸ軸およびＺ軸と直交するＹ軸の矢印方向へ揺動する。
【００４５】
すると、凹部３１に入っている第５突起部４０の揺動によって、第２リンクバー３０は引っ張られてＹ軸の矢印方向へ摺動する。このとき、第２リンクバー３０の第４突起部３２が、揺動部材３３の当接部３６と当接し、揺動部材３３を図中における時計方向へ揺動させる。これに伴って、揺動部材３３の第１穴部３５が、第１ロック部材１８の第１突起部２０を介して、第１圧縮ばね２１の付勢力に抗して第１ロック部材１８が退避する方向であるＸ軸の矢印方向へ第１ロック部材１８を移動させるように作用する。
【００４６】
また、同様に、揺動部材３３の第３突起部３７が、第１リンクバー２７の第２穴部２９を介して、第１リンクバー２７をＸ軸の矢印と逆方向へ移動させるように作用する。このとき、第１リンクバー２７のフック部２８が、第２ロック部材２２の第２突起部２４を介して、第２圧縮ばね２５の付勢力に抗して第２ロック部材２２が退避する方向であるＸ軸の矢印と逆方向へ第２ロック部材２２を移動させる。
【００４７】
その結果、第１ロック部材１８の先端は、基体部１２の第１ロック穴部１３から抜けることができる。同様に、第２ロック部材２２の先端は、基体部１２の第２ロック穴部１４から抜けることができる。つまり、ロックが解除された状態である。  
そして、ユーザーは、カバー部材１５を開いて、送り経路１０内で詰まった用紙Ｐを取り出すことができる。
【００４８】
図７（Ａ）（Ｂ）に示すのは、ロック状態となる際のリンク機構２６の要部を示す平面透視図である。このうち、図７（Ａ）は第１ロック部材１８が設けられている側である。一方、図７（Ｂ）は図７（Ａ）の反対側である第２ロック部材２２が設けられている側である。  
図７（Ａ）（Ｂ）に示す如く、ユーザーがカバー部材１５を閉じる際、第１ロック部材１８の前述した第１傾斜部１９が基体部１２と当接する。
【００４９】
そして、カバー部材１５が閉まる方向への力が作用することにより、第１ロック部材１８が退避する方向であるＸ軸の矢印方向へのベクトル成分の力が発生する。該力により、第１ロック部材１８がＸ軸の矢印方向へ押し込まれる。これに伴って、第１ロック部材１８の第１突起部２０が、揺動部材３３を図中における時計方向へ揺動させる。そして、揺動部材３３の第３突起部３７が、第１リンクバー２７の第２穴部２９を介して、第１リンクバー２７をＸ軸の矢印と逆方向へ摺動させるように作用する。
【００５０】
さらに、第１リンクバー２７のフック部２８が、第２ロック部材２２の第２突起部２４を介して、第２ロック部材２２が退避する方向であるＸ軸の矢印と逆方向へ第２ロック部材２２を摺動させる。  
この際、第２ロック部材２２の前述した第２傾斜部２３が基体部１２と当接し、カバー部材１５が閉まる方向への力により、第１ロック部材１８が退避する方向であるＸ軸の矢印と逆方向へのベクトル成分の力が発生する。これによっても、第２ロック部材２２は退避する方向であるＸ軸の矢印と逆方向へ移動する。
【００５１】
ここで、ユーザーは、カバー部材１５における幅方向Ｘの中心Ｎを基準とした操作部３が設けられている側である第１ロック部材１８が設けられている側を、カバー部材１５が閉まる方向へ押してカバー部材１５を閉めようとする。つまり、第１傾斜部１９が基体部１２と当接し閉まる方向へカバー部材１５が押されることにより、Ｘ軸の矢印の方向への前記ベクトル成分の力は確実に生じる。
【００５２】
これにより、第１ロック部材１８は、確実に押し込まれる。そして、前述したように、第１ロック部材１８の退避移動に伴って、第２ロック部材２２も退避移動する。  
つまり、少なくとも、カバー部材１５における前記中心Ｎを基準とした第１ロック部材１８が設けられている側を閉まる方向へ押すことにより、第１ロック部材１８および第２ロック部材２２の両方を退避させることができる。
【００５３】
そして、完全に閉まったとき、第１圧縮ばね２１の付勢力によって、第１ロック部材１８の先端は、カバー部材１５から突出する方向へ移動し、基体部１２の第１ロック穴部１３に入り込む。同様に、第２圧縮ばね２５の付勢力によって、第２ロック部材２２の先端は、カバー部材１５から突出する方向へ移動し、基体部１２の第２ロック穴部１４に入り込む。その結果、前述した図５（Ａ）（Ｂ）に示すロックされた状態となる。
【００５４】
ここで、リンク機構２６の第１リンクバー２７は、第２ロック部材２２を引っ張るように作用するが、押し込むようには作用しない。つまり、押し込む際に屈曲してしまうことを考慮する必要がない。従って、第１リンクバー２７を糸のように細く構成することができる。これにより、リンク機構２６のスペースを小さくすることができ、カバー部材１５を薄くすることができ有効である。また、その分、媒体搬送装置７、プリンター１全体をコンパクトにすることもできる。第１リンクバー２７は、例えば、糸でもよい。尚、引っ張る前の状態では、弛んでいてもよい。
【００５５】
また、第１ロック部材１８および第２ロック部材２２が移動した際、揺動部材３３は、第２リンクバー３０に対して何ら作用を及ぼさない構成である。具体的には、揺動部材３３の当接部３６が、第２リンクバー３０の第４突起部３２から離間する方向へ揺動する。言い換えると、第１ロック部材１８および第２ロック部材２２が退避移動する際の揺動部材３３の揺動方向への揺動を、第２リンクバー３０が許容する「遊びＢ２」が設けられている。
【００５６】
従って、カバー部材１５を完全に閉めてロック状態にした際、カバー開レバー３８は揺動しない。その結果、カバー開レバー３８によってユーザーが怪我をする虞がない。また、カバー開レバー３８が揺動した際の騒音が生じる虞がない。またさらに、カバー開レバー３８の上に物が置かれていた場合であっても、該物が破損する虞がない。さらに、該物が置かれていた場合であっても、確実にカバー部材１５を完全に閉めてロック状態にすることができる。
【００５７】
図８（Ａ）（Ｂ）に示すのは、第２ロック部材２２が遅れてロック状態となる様子を示す平面透視図である。このうち、図８（Ａ）は第１ロック部材１８が設けられている側である。一方、図８（Ｂ）は図８（Ａ）の反対側である第２ロック部材２２が設けられている側である。  
また、図９（Ａ）（Ｂ）に示すのは、図８（Ａ）（Ｂ）に示す状態からカバー部材１５における第２ロック部材２２が設けられた側がカバー部材１５の閉まる方向へ移動した様子を示す平面透視図である。このうち、図９（Ａ）は第１ロック部材１８が設けられている側である。一方、図９（Ｂ）は図９（Ａ）の反対側である第２ロック部材２２が設けられている側である。
【００５８】
前述したように、カバー部材１５における第１ロック部材１８が設けられている側を、ユーザーが、カバー部材１５の閉まる方向へ押してカバー部材１５を閉めようとすると、通常は、カバー部材１５は完全に閉まる。  
ところが、比較的大きいサイズの用紙Ｐに対応するプリンター１となると、カバー部材１５は、その分、幅方向Ｘに長尺になる。
【００５９】
そのため、カバー部材１５が、幅方向Ｘにねじれるように撓む虞がある。係る場合に、ユーザーが、カバー部材１５における第１ロック部材１８が設けられている側を、カバー部材１５の閉まる方向へ押してカバー部材１５を閉めようとする。すると、カバー部材１５における第１ロック部材１８が設けられている側が、第２ロック部材２２が設けられている側より先行するように、カバー部材１５がねじれるように撓む。
【００６０】
係る場合、図８（Ａ）（Ｂ）に示す如く、第１ロック部材１８の先端は、前述したように、第１傾斜部１９の作用により、一度退避してから基体部１２の第１ロック穴部１３に入り込む。  
一方、第２ロック部材２２については、第１ロック部材１８より遅れたタイミングで、第２傾斜部２３が基体部１２に当接する。
【００６１】
ここで、第１ロック部材１８の先端が第１ロック穴部１３に入り込んだため、ユーザーは、完全に閉まった状態であると思いこみ、カバー部材１５から手を離すことが考えられる。係る場合、前述したカバー部材１５が閉まる方向への力として、カバー部材１５における前記中心Ｎより第２ロック部材２２が設けられている側の自重が第２傾斜部２３と基体部１２との間で作用する。該自重は、比較的小さい力で作用する。
【００６２】
そこで、前述したように、第２ロック部材２２が退避する方向へ移動した際、第２ロック部材２２は、第１リンクバー２７に対して何ら作用を及ぼさないように構成されている。具体的には、第２ロック部材２２の第２突起部２４が、第１リンクバー２７のフック部２８から離間する方向へ移動する。言い換えると、第２ロック部材２２が退避移動する際の第２ロック部材２２の退避方向への移動を、第１リンクバー２７が許容する「遊びＢ１」が設けられている。
【００６３】
従って、第２ロック部材２２が退避する方向であるＸ軸の矢印と逆方向へ第２ロック部材２２を移動させるために、第１リンクバー２７、揺動部材３３および第１ロック部材１８を移動させるための仕事をしなくてもよい。その結果、前記自重の大きさを、第２ロック部材２２のみを第２圧縮ばね２５に抗して押し込むには十分な大きさとすることができる。
【００６４】
これにより、図９（Ａ）（Ｂ）に示す如く、カバー部材１５における第２ロック部材２２が設けられている側の自重によって、第２ロック部材２２をＸ軸の矢印と逆方向へ退避移動させることができる。そして、自重によってカバー部材１５における第２ロック部材２２が設けられている側がカバー部材１５の閉まる方向へさらに揺動する。その結果、第２ロック部材２２の先端は、基体部１２の第２ロック穴部１４と対向したとき、第２圧縮ばね２５の付勢力によって、第２ロック穴部１４に入り込むことができる。そして、前述した図４および図５（Ａ）（Ｂ）に示すロック状態となる。
【００６５】
つまり、第１ロック部材１８が設けられている側が先にロックされた所謂、片側ロック状態になろうとする場合であっても、僅かに遅れたタイミングで第２ロック部材２２が設けられている側もロックすることができる。そして、結果的に、カバー部材１５が完全に閉まっておりロックされた状態にすることができる。  
尚、仮に、前記片側ロック状態となった場合であっても、カバー部材１５における第２ロック部材２２が設けられている側を、カバー部材１５が閉まる方向へ軽く押すだけでよい。それだけで、カバー部材１５が完全に閉まりロックされた状態にすることができる。
【００６６】
また、プリンター本体２より上方に設けられた媒体搬送装置７におけるカバー部材１５が完全に閉じた状態をロックするロック手段１７のリンク機構２６について説明したが、媒体搬送装置７に限らない。プリンター本体２にも、媒体搬送装置７と同様に、用紙（Ｐ）を送る送り手段（９）と、送り経路（１０）とが設けられている。従って、プリンター本体２に送り経路（１０）の一部を構成するカバー部材（１５）を設けて、さらに、前述したリンク機構２６を適用してもよい。
【００６７】
本実施例の開閉部材であるカバー部材１５のロック装置としてのロック手段１７は、基体部１２に対して開閉するカバー部材１５と、カバー部材１５の自由端側における幅方向Ｘ両側の一方に設けられ、カバー部材１５から基体部１２へ突出する方向へ付勢されており、カバー部材１５が閉じた状態において、基体部１２と係合して前記閉じた状態を保持する第１ロック部材１８と、カバー部材１５の自由端側における幅方向Ｘ両側の他方に設けられ、カバー部材１５から基体部１２へ突出する方向へ付勢されており、カバー部材１５が閉じた状態において、基体部１２と係合して前記閉じた状態を保持する第２ロック部材２２と、第２ロック部材２２と係合可能な第１係合部の一例であるフック部２８を有しており、第１ロック部材１８が退避する方向への第１ロック部材１８の動きを第２ロック部材２２へ伝達するリンク機構２６と、を備え、第１ロック部材１８および第２ロック部材２２が突出して基体部１２と係合する方向がロック方向であり、第１ロック部材１８および第２ロック部材２２が退避する方向がロックを解除する方向であり、リンク機構２６は、第１ロック部材１８が退避する方向へ第１ロック部材１８が移動する際、フック部２８が第２ロック部材２２と係合し第２ロック部材２２が退避する方向へ第２ロック部材２２を引き込んで移動させ、第１ロック部材１８が突出した状態において、第２ロック部材２２が退避する方向へ第２ロック部材２２が移動する際、フック部２８において第２ロック部材２２との間に設けられた遊びＢ１によってフック部２８が第２ロック部材２２と係合せず、第２ロック部材２２の動きを第１ロック部材１８へ伝達させない構成であることを特徴とする。
【００６８】
また、本実施例において、リンク機構２６に力を伝達するレバーであるカバー開レバー３８と、リンク機構２６の動力伝達経路上に設けられた第２係合部の一例である第４突起部３２と、をさらに備えており、リンク機構２６は、カバー開レバー３８が一の方向へ揺動する際、第４突起部３２が動力伝達下流側の被係合部材の一例である揺動部材３３と係合し、カバー開レバー３８の動きを第１ロック部材１８および第２ロック部材２２へ伝達し、第１ロック部材１８および第２ロック部材２２をそれぞれ前記退避する方向へ移動させ、第１ロック部材１８および第２ロック部材２２がそれぞれ前記退避する方向へ移動する際、第４突起部３２において揺動部材３３との間に設けられた遊びＢ２によって第４突起部３２が揺動部材３３と係合せず、第１ロック部材１８および第２ロック部材２２の動きをカバー開レバー３８へ伝達させない構成であることを特徴とする。
【００６９】
またさらに、本実施例において、カバー開レバー３８は、カバー部材１５の幅方向Ｘの中心Ｎに対して第１ロック部材１８側に偏倚した位置に配設されていることを特徴とする。  
また、本実施例において、第１ロック部材１８、およびカバー部材１５が閉じる際に基体部１２における第１ロック部材１８が係わり合う第１の部位１２ａの少なくとも一方は、カバー部材１５が閉まる方向へ揺動するに従って第１ロック部材１８を退避させる第１傾斜部１９を有しており、第２ロック部材２２、およびカバー部材１５が閉じる際に基体部１２における第２ロック部材２２が係わり合う第２の部位（図示せず）の少なくとも一方は、カバー部材１５が閉まる方向へ揺動するに従って第２ロック部材２２を退避させる第２傾斜部２３を有している構成であることを特徴とする。  
尚、本実施例では、第１ロック部材１８の先端に第１傾斜部１９が設けられている。同様に、第２ロック部材２２の先端に第２傾斜部２３が設けられている。
【００７０】
また、本実施例では、第１ロック部材１８、第２ロック部材２２およびリンク機構２６をカバー部材１５側に設けたが、前述したように、これらを基体部１２側に設けてもよい。  
係る場合、カバー部材（１５）のロック手段（１７）は、基体部（１２）に対して開閉するカバー部材（１５）と、基体部（１２）におけるカバー部材（１５）の自由端側の幅方向Ｘ両側の一方に対応する箇所（上記実施例において第１ロック穴部１３が設けられていた箇所）に設けられ、基体部（１２）からカバー部材（１５）へ突出する方向へ付勢されており、カバー部材（１５）が閉じた状態において、カバー部材（１５）と係合して前記閉じた状態を保持する第１ロック部材（１８）と、基体部（１２）におけるカバー部材（１５）の自由端側の幅方向両側の他方に対応する箇所（上記実施例において第２ロック穴部１４が設けられていた箇所）に設けられ、基体部（１２）からカバー部材（１５）へ突出する方向へ付勢されており、カバー部材（１５）が閉じた状態において、カバー部材（１５）と係合して前記閉じた状態を保持する第２ロック部材（２２）と、第２ロック部材（２２）と係合可能なフック部（２８）を有しており、第１ロック部材（１８）が退避する方向への第１ロック部材（１８）の動きを第２ロック部材（２２）へ伝達するリンク機構（２６）と、を備え、第１ロック部材（１８）および第２ロック部材（２２）が突出してカバー部材（１５）と係合する方向がロック方向であり、第１ロック部材（１８）および第２ロック部材（２２）が退避する方向がロックを解除する方向であり、リンク機構（２６）は、第１ロック部材（１８）が退避する方向へ第１ロック部材（１８）が移動する際、フック部（２８）が第２ロック部材（２２）と係合し第２ロック部材（２２）が退避する方向へ第２ロック部材（２２）を引き込んで移動させ、第１ロック部材（１８）が突出した状態において、第２ロック部材（２２）が退避する方向へ第２ロック部材（２２）が移動する際、フック部（２８）において第２ロック部材（２２）との間に設けられた遊び（Ｂ１）によってフック部（２８）が第２ロック部材（２２）と係合せず、第２ロック部材（２２）の動きを第１ロック部材（１８）へ伝達させない構成となる。
【００７１】
本実施例の媒体搬送装置７は、媒体としての一例である用紙Ｐを載置する載置部８と、載置された用紙Ｐを送り方向下流側へ送る送り手段９と、用紙Ｐが送られる経路である送り経路１０の少なくとも一部を構成し、基体部１２に対して開閉可能なカバー部材１５と、カバー部材１５が閉じた状態をロックするロック手段１７と、を備えていることを特徴とする。
【００７２】
尚、本実施例では、媒体搬送装置７におけるロック手段１７について説明したが、前述したように、プリンター本体２におけるロック手段（１７）でもよい。  
係る場合、記録装置としてのプリンター本体２は、被記録媒体としての一例である用紙（Ｐ）を送り方向下流側へ送る送り手段（９）と、用紙（Ｐ）が送られる経路である送り経路（１０）の少なくとも一部を構成し、基体部（１２）に対して開閉可能なカバー部材（１５）と、カバー部材（１５）が閉じた状態をロックするロック手段（１７）と、送られた用紙（Ｐ）に対して記録する記録部６と、を備えている。
【００７３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７４】
１  プリンター、２  プリンター本体、３  操作部、４  ボタン、５  スキャナー部、
６  記録部、７  媒体搬送装置、８  載置部、９  送り手段、１０  送り経路、
１１  排出部、１２  基体部、１２ａ  第１の部位、１３  第１ロック穴部、
１４  第２ロック穴部、１５  カバー部材（開閉部材）、１６  開閉軸、
１７  ロック手段（ロック装置）、１８  第１ロック部材、１９  第１傾斜部、
２０  第１突起部、２１  第１圧縮ばね、２２  第２ロック部材、２３  第２傾斜部、
２４  第２突起部、２５  第２圧縮ばね、２６  リンク機構、２７  第１リンクバー、
２８  フック部（第１係合部）、２９  第２穴部、３０  第２リンクバー、３１  凹部、
３２  第４突起部（第２係合部）、３３  揺動部材（被係合部材）、３４  第１揺動軸、
３５  第１穴部、３６  当接部、３７  第３突起部、３８  カバー開レバー、
３９  第２揺動軸、４０  第５突起部、Ａ  送り方向、Ｂ１  遊び、Ｂ２  遊び、
Ｐ  用紙、Ｎ  幅方向の中心、Ｘ  幅方向、Ｙ  幅方向と直交する方向、Ｚ  鉛直方向
【図１】
0005664863.tif 000002
【図２】
0005664863.tif 000003
【図３】
0005664863.tif 000004
【図４】
0005664863.tif 000005
【図５】
0005664863.tif 000006
【図６】
0005664863.tif 000007
【図７】
0005664863.tif 000008
【図８】
0005664863.tif 000009
【図９】
0005664863.tif 000010